(57)【要約】【課題】  屈曲性があり、遮熱や断熱や熱吸収が可能な柔軟な熱絶縁体を提供する。【解決手段】  本考案の柔軟性熱絶縁体１００は屈曲性の布，紙，樹脂フィルム，金属板等の支持体２の片面又は両面に遮熱性や断熱性等を有する固形部材１を塗布，コーティング等により接合したものからなる。【選択図】  図１
0003150764.tif 000002
【実用新案登録請求の範囲】
【請求項１】
屈曲可能に形成され、支持体の片面又は両面に熱絶縁性を有する固形部材を接合することを特徴とする柔軟性熱絶縁体。
【請求項２】
前記固形部材が、遮熱性及び断熱性を有するものからなることを特徴とする請求項１に記載の柔軟性熱絶縁体。
【請求項３】
前記固形部材が、遮熱性及び断熱性及び輻射熱吸収性を有するものからなることを特徴とする請求項１に記載の柔軟性熱絶縁体。
【請求項４】
前記柔軟性熱絶縁体が、曲率半径１０００ｍｍ以下の屈曲性を有するものからなることを特徴とする請求項１乃至３のいずれかに記載の柔軟性熱絶縁体。
【請求項５】
前記固形部材が、前記支持体に接合する前及び後又は接合時に固形状となる部材からなることを特徴とする請求項１乃至４のいずれかに記載の柔軟性熱絶縁体。
【請求項６】
前記部材が、熱反射率が大きく又は熱伝導率の小さな粒子や熱吸収性の大きい粒子を固めたものからなることを特徴とする請求項５に記載の柔軟性熱絶縁体。
【請求項７】
前記支持体が、布，紙，樹脂フイルム，金属膜又は板及びこれ等の複合体からなることを特徴とする請求項１に記載の柔軟性熱絶縁体。
【請求項８】
前記固形部材には空孔又は空穴が形成されることを特徴とする請求項１乃至７のいずれかに記載の柔軟性熱絶縁体。
【請求項９】
前記柔軟性熱絶縁体が、ブラインド又はロールスクリーンに適用されることを特徴とする請求項１乃至８のいずれかに記載の柔軟性熱絶縁体。
【請求項１０】
前記ブラインド又はロールスクリーンは、横糸により繊製又は縫製されたものからなることを特徴とする請求項９に記載の柔軟性熱絶縁体。
【請求項１１】
前記柔軟性熱絶縁体には任意の印刷体，塗装体，印刷シール，カットシール，電子回路を日射や冷気から保護される状態に薄膜発光体（ＬＥＤやＥＬフイルム素子），映像素子（色素フイルム素子）が付載され動画や静止画のイメージパターンを表示することを特徴とする請求項１乃至９のいずれかに記載の柔軟性熱絶縁体。
【考案の詳細な説明】
【技術分野】
【０００１】
本考案は、片面又は両面が熱反射率が大きく且つ、熱吸収率と熱伝導率の小さい物質により成す粒子による太陽や暖房などの熱源或いは、周囲の物質からの反射熱輻射熱に対する反射率を高め且つ、鏡膜断熱による薄膜の恒久的断熱性を有する柔軟性熱絶縁体に関するものであり、これをフイルム又はロールスクリーンに適用した柔軟性熱絶縁体に関するものである。
【背景技術】
【０００２】
従来より、窓ガラスからの日射による輻射熱遮蔽をするためには、次のような方法が各方面で使用されてきた例として、ガラス熱反射性又は、熱吸収性フイルムを貼ったり、熱吸収性金属膜コーティング、金属蒸着膜付ガラス、熱吸収性フイルムを貼り合せガラス、金属蒸着膜付ガラスの複層ガラスなどのガラスを使用したものです。また、暗幕などの遮光カーテンやロールスクリーン又は金属蒸着したフイルムを貼り合せたシートや金属粒子を塗布した布を使用した遮熱ロールスクリーン及びブラインドなどを窓の内側に設置した窓がある。また、本考案に似た公知技術として、例えば、「特許文献１」が挙げられる。
【特許文献１】実用新案登録第３０９２８１３号（図１）
【考案の開示】
【考案が解決しようとする課題】
【０００３】
前記するような従来の熱反射及び熱吸収機能を持つガラス又は同様の加工はその設置場所又は施工などによっては、膨大な輻射熱の日射を受けた時に生じる熱応力歪が許容内部を超えることにより熱割れ現象が発生する。この事は直射の日射輻射熱を体感的に熱さを感じないレベルにすることを難しくしている。また、日射輻射熱を体感的に熱さを感じないレベルに遮蔽すると可視光領域も遮蔽され一定の比率で固定的に暗くなる。更に、熱反射及び熱吸収機能を持つガラス又は同様の加工は、前記熱割れ現象を完全に防ぐことが実際上困難なため、保証問題に発展するのを避ける事により、賃貸物件では、需要家である入居者に対し普及しにくい側面がある。賃貸契約解消後の現状復帰が難しいと言う事もある。前記ガラスの熱割れ現象などの問題が生じにくい方法として、暗幕などの遮光カーテンやロールスクリーン又は金属蒸着したフイルムを張り合せたシートや金属粒子を塗布した布を使用した遮熱ロールスクリーン及びブラインドなどを窓の内側に設置した窓がある。しかし、これら従来の方法では、直射の日射光を遮ることは日射光を遮った幕などの温度が物性による蓄熱により室温に比べ約３０℃以上も高くなり、幕などの伝熱と輻射熱が室温を上昇させてしまう事がある。特に、室内側の面からの輻射熱は、その周辺を直接に熱するため、体感的に暑さを多く感じやすい。室温が２５℃でも５℃以上暑さを感じてしまう場合がある。
【０００４】
また、前記の「特許文献１」の「実用新案登録第３０９２８１３号」の「断熱ブラインド」はその請求の範囲にあるように、塗料型液体断熱材（１）をブラインドの遮光板（２）の表裏に塗布することによって、太陽熱や放射熱の９９．６％を熱源側に反射する熱反射式の断熱ブラインドを開示するものであり、この塗料型断熱材としてはセラミックカバーＣＣ１００を使用するものであり、限定的構成から成り立っているものである。即ち、本願考案は後に説明するように固形部材として各種のものを用い、支持体も各種のものを用い、かつ各種のものを付載する等の複雑の構成からなり、この「特許文献１」とは大きく相違するものである。また、その他の公知文献も本願考案とは同一又は類似するものは見当らない。
【０００５】
本考案は、以上の事情に鑑みて考案されたものであり、反射体の片面又は両面に熱絶縁体を接合し、外気や内部からの熱の断熱や遮熱や熱吸収を効果的に行い、施工も比較的簡単にでき、コンパクトにまとめられ、ブラインドやロールスクリーンに適用でき、各種の部材を付載して機能性を更に向上し得る柔軟性熱絶縁体を提供することを目的とする。
【課題を解決するための手段】
【０００６】
本考案は、以上の目的を達成するために、請求項１の考案は、屈曲可能に形成され、支持体の片面又は両面に熱絶縁性を有する固形部材を接合することを特徴とする。
【０００７】
また、請求項２の考案は、前記固形部材が、遮熱性及び断熱性を有するものからなることを特徴とする。
【０００８】
また、請求項３の考案は、前記固形部材が、遮熱性及び断熱性及び輻射熱吸収性を有するものからなることを特徴とする。
【０００９】
また、請求項４の考案は、前記柔軟性熱絶縁体が、曲率半径１０００ｍｍ以下の屈曲性を有するものからなることを特徴とする。
【００１０】
また、請求項５の考案は、前記固形部材が、前記支持体に接合する前及び後又は接合時に固形状となる部材からなることを特徴とする。
【００１１】
また、請求項６の考案は、前記固形部材が、熱反射率が大きく又は熱伝導率の小さな粒子や熱吸収性の大きい粒子を固めたものからなることを特徴とする。
【００１２】
また、請求項７の考案は、前記支持体が、布，紙，樹脂フイルム，金属膜又は板及びこれ等の複合体からなることを特徴とする。
【００１３】
また、請求項８の考案は、前記固形部材には空孔又は空穴が形成されることを特徴とする。
【００１４】
また、請求項９の考案は、前記柔軟性熱絶縁体が、ブラインド又はロールスクリーンに適用されることを特徴とする。
【００１５】
また、請求項１０の考案は、前記ブラインド又はロールスクリーンは、横糸により繊製又は縫製されたものからなることを特徴とする。
【００１６】
また、請求項１１の考案は、前記柔軟性熱絶縁体には任意の印刷体，塗装体，印刷シール，カットレール，電子回路を日射や冷気から保護される状態に薄膜発光体（ＬＥＤやＥＬフイルム素子），映像素子（色素フイルム素子）が付載され動画や静止画のイメージパターンを表示することを特徴とする。
【考案の効果】
【００１７】
本考案の請求項１の柔軟性熱絶縁体によれば、支持体に熱絶縁性の固形部材を接合することにより、熱遮断や断熱等の熱絶縁機能を図ることができ、熱伝達を嫌うほぼすべての各所に適用され、その用途は広い。
【００１８】
また、本考案の請求項２の柔軟性熱絶縁体によれば、遮熱及び断熱の効果を上げることができる。
【００１９】
また、本考案の請求項３の柔軟性熱絶縁体によれば、遮熱及び断熱の効果に加えて輻射熱吸収の効果を更に加えることができ、その使用範囲は拡大する。
【００２０】
また、本考案の請求項４の柔軟性熱絶縁体によれば、曲率率半径１０００ｍｍ以下の屈曲性を有するため、柔軟性の効果があり、例えば、曲率半径０．１ｍｍのものも使用される。
【００２１】
また、本考案の請求項５の柔軟性熱絶縁体によれば、接合時等において固形部材が固化するため、塗装，コーティング，含侵，接着，溶着等の各種の接合手段を用いて接合することができる。接合作業の容易化が図れる。更に積層構造を容易に成すことができ、輻射熱の複反射構造となり熱を電磁波として留める鏡膜断熱効果の高性能化が図れる。
【００２２】
また、本考案の請求項６の柔軟性熱絶縁体によれば、固形部材は熱反射率が大きく熱伝導性が小さく、熱吸収性の大きい粒子等を図るためのものからなり、前記の熱絶縁性の機能を果す基礎的機能を有するものからなり、熱絶縁性の確実化が図れる。これ等の粒子を例えば、重量化７０％以下或いは体積比約９６％以下に含有させることにより柔軟性を保持した状態で固形物となる流動体となり接合の容易化と確実化が図れる。また、これ等の断熱材は環境負荷の小さいケイ素化合物ＳｉＯ2を主成分としてなり、断熱効果を大きく発揮でき、耐候性に優れ、長期にわたり安定した性能を発揮できる。また、環境負荷も少ない。省エネ化もできる。また、防汚性殺菌性，消臭性耐火性（防炎性）の効果もある。
【００２３】
また、本考案の請求項７の柔軟性熱絶縁体によれば、支持耐として各種のものが使用でき、用途の拡大化を図ることができる。なお、布としては不繊布も含まれ紙は有機系のみでなく無機系のものも使用され、その用途は広い。
【００２４】
また、本考案の請求項８の柔軟性熱絶縁体によれば、固形部材に孔，穴を設けることにより採光の調光性と通気性，透湿性を向上することができる。
【００２５】
また、本考案の請求項９の柔軟性熱絶縁体によれば、本考案品はブラインドやロールスクリーンに適用でき、断熱，遮熱等の効果を上げることができ室内の環境保全性を向上することができる。
【００２６】
また、本考案の請求項１０の柔軟性熱絶縁体によれば、各種の寸法のものを作ることができ、多量に形成することも容易にできる。
【００２７】
また、本考案の請求項１１の柔軟性熱絶縁体によれば、太陽光発電フイルム素子やリチウムイオンフイルム電池等の各種の部材を付載でき、用途の拡大美観の向上や広告宣伝等の効果を上げることができる。
【考案を実施するための最良の形態】
【００２８】
以下、本考案の柔軟性熱絶縁体の実施の形態を図面を参照して詳述する。図１は熱絶縁体の固形部材１を支持体２の両面に設けた柔軟性熱絶縁体１００を示す。
【実施例１】
【００２９】
図２は柔軟性熱絶縁体１００の１つの実施例を示すこのものは曲率半径１０００ｍｍ以下の屈曲可能な張力に耐える支持体２として例えば、繊維で作られた布や紙や樹脂フイルムや金属板又はこれ等の複合品が採用される。また、固形部材１としては熱反射率が大きく熱伝導率の小さい物質、例えば、真空の中空アモルファスシリカにより成り粒子を重量比７０％以下又は体積比９６％以下を含有するものが使用され、このものは柔軟性を保持しながら固形物となる流動体からなり、例えば、厚み２ｍｍ以下のものからなる。塗装，コーティング，含侵，接着，溶着等やこれ等を複合した技術により支持体２に接合される。なお、支持体２としては暑さ６〜５０００μｍのものが採用される。また、熱反射率の大きな物質、例えば酸化チタニウムを使用してもよい。
【実施例２】
【００３０】
図３は図２に示した柔軟性熱絶縁体１００の片面に輻射熱吸収性を有する部材３を接合したものである。この柔軟性熱絶縁体１００Ａは柔軟性熱絶縁体１００の機能に加えて輻射熱を吸収する効果を有するもので室内の保温に効果的のものであり、固形式のロールスクリーン等に使用すると便利である。また、部材を赤外線吸収率の大きなＡＴＯ（アンチモン酸化化合物）等を用いることにより、無着色又は透明性を有するロールスクリーンが可能になる。
【実施例３】
【００３１】
図４，図５は前記の柔軟性熱絶縁体１００，１００Ａを細片に切断して総合した実施例を示す。図４は一重のものであり、図５は二重のものを示す。なお、更に多重のものでもよい。
図４，図５は柔軟性熱絶縁体１００，１００Ａを幅５〜５０ｍｍ程度の細帯状に裁断（スリット加工）して平テープ状にしこれを横糸４により織ものを示す。
【実施例４】
【００３２】
図６は以上の柔軟性熱絶縁体１００，１００Ａをブラインド５に適用した実施例に示す。
【実施例５】
【００３３】
図７は以上の柔軟性熱絶縁体１００，１００Ａをロールスクリーン６に適用した実施例を示す。
【００３４】
本考案は以上の説明の内容からなるが、本考案は以上の内容に限定するものではなく、同一技術的範疇のものが適用されることは勿論である。
【産業上の利用可能性】
【００３５】
本考案は各種ブラインドやロールスクリーンに適用されるのみならず、遮熱や断熱や熱吸収を必要とするすべての部分に適用可能であり、その利用範囲は極めて広い。
【図面の簡単な説明】
【００３６】
【図１】本考案の柔軟性熱絶縁体の全体構造を示す断面図。
【図２】本考案の柔軟性熱絶縁体の１つの実施例を示す断面図。
【図３】本考案の柔軟性熱絶縁体の他の実施例を示す断面図。
【図４】本考案の細片を横糸で縫合した実施例を示す部分正面図。
【図５】本考案の細片を二重にして横糸で縫合した実施例を示す部分正面図。
【図６】本考案の柔軟性熱絶縁体をブラインドに適用した実施例を示す斜視図。
【図７】本考案の柔軟性熱絶縁体をロールスクリーンに適用した実施例を示す斜視図。
【符号の説明】
【００３７】
１        固形部材
２        支持体
３        輻射熱吸収性を有する部材
４        横糸
５        ブラインド
６        ロールスクリーン
１００    柔軟性熱絶縁体
１００Ａ  柔軟性熱絶縁体
【図１】
0003150764.tif 000003
【図２】
0003150764.tif 000004
【図３】
0003150764.tif 000005
【図４】
0003150764.tif 000006
【図５】
0003150764.tif 000007
【図６】
0003150764.tif 000008
【図７】
0003150764.tif 000009
【手続補正書】
【提出日】平成21年3月19日(2009.3.19)
【手続補正１】
【補正対象書類名】実用新案登録請求の範囲
【補正対象項目名】請求項１１
【補正方法】変更
【補正の内容】
【請求項１１】
前記柔軟性熱絶縁体には任意の印刷体，塗装体，印刷シール，カットシール，ＬＥＤやＥＬフイルム素子を用いると共に電子回路を有する薄膜塗装体，色素フイルム素子を用いると共に電子回路を有する映像素子が動画や静止画のイメージパターンを表示すべく付載されることを特徴とする請求項１乃至９のいずれかに記載の柔軟性熱絶縁体。
【手続補正２】
【補正対象書類名】明細書
【補正対象項目名】００１６
【補正方法】変更
【補正の内容】
【００１６】
また、請求項１１の考案は、前記柔軟性熱絶縁体には任意の印刷体，塗装体，印刷シール，カットシール，ＬＥＤやＥＬフイルム素子を用いると共に電子回路を有する薄膜塗装体，色素フイルム素子を用いると共に電子回路を有する映像素子が動画や静止画のイメージパターンを表示すべく付載されることを特徴とする。